(57)【要約】【課題】  複数タイムゾーンにわたる多数通信端末への時刻情報の自動設定を容易にし、かつ異なるタイムゾーンの通信相手の時刻を自動的に画面表示可能とする。【解決手段】  対象の通信端末を収容する交換主装置に基準時計と端末番号対応に実装の有無情報およびタイムゾーン情報を格納する端末情報テーブルとを備え、通信端末を初期設定する際に、実装なしの端末番号を割り振ると共にその通信端末のタイムゾーン情報を取得して格納することで初期設定時の時刻情報を容易に自動設定し、通信端末からの呼接続要求で発呼元端末番号および着呼先端末番号のそれぞれに対応するタイムゾーン情報を取得し、それぞれの時刻情報を演算してその結果をそれぞれ相手先の通信端末へ送って画面表示させている。【選択図】    図１
2005244398.tif 000002
【特許請求の範囲】
【請求項１】
交換主装置に収容される通信端末への時刻設定表示方法において、前記交換主装置は、正確な日付および時刻を時刻情報として有する基準時計と端末番号対応でのタイムゾーン情報を有する端末情報テーブルとを備え、通信端末から端末番号を指定して要求を受けた際には前記端末情報テーブルから指定された端末番号によりタイムゾーン情報を読み取ってタイムゾーンに基づく時刻情報を求め、この時刻情報から少なくとも時刻を端末番号で指定された通信端末に送出して送出先通信端末に画面表示させることを特徴とする通信端末への時刻設定表示方法。
【請求項２】
請求項１に記載の時刻設定表示方法において、前記交換主装置は、端末情報テーブルに更に端末番号対応での実装の有無情報を有し、通信端末を初期接続するために通信端末から所定の初期設定要求により呼出された際には空きの端末番号を選択して返送し、この端末番号を有する通信端末からタイムゾーン情報の入力を受けた際にこのタイムゾーン情報をその端末番号に対応して登録すると共に前記基準時計にタイムゾーン情報を適用した時刻情報を求めて前記通信端末に返送し、通信端末にその通信端末の属するタイムゾーンでの時刻情報を内部に記録保存させると共に自己時刻情報として画面表示させることを特徴とする通信端末への時刻設定表示方法。
【請求項３】
請求項１に記載の時刻設定表示方法において、前記交換主装置は、通信端末から呼接続要求を受けた際には前記端末情報テーブルから着呼先端末番号によりタイムゾーン情報を読み取り発呼元通信端末に送出する一方、前記端末情報テーブルから発呼者端末番号によりタイムゾーン情報を読み取って時刻情報を求め、着呼先通信端末に少なくとも時刻を送出して、発呼元および着呼先の両者に通信相手先の時刻を画面表示させることを特徴とする通信端末への時刻設定表示方法。
【請求項４】
交換主装置に収容される通信端末への時刻設定表示システムにおいて、
前記交換主装置は、正確な日付および時刻を時刻情報として有する基準時計と、端末番号対応でのタイムゾーン情報を記録する端末情報テーブルと、通信端末から端末番号により時刻情報の要求を受けた際には受けた端末番号に対応するタイムゾーン情報を前記端末情報テーブルから読み取り、読み取ったタイムゾーン情報と前記基準時計とから演算して端末番号により指定された通信端末の時刻情報を求め、求めた時刻情報から少なくとも時刻を端末番号により指定された通信端末へ送出する主制御部とを備え、
前記通信端末は、自己の内蔵する時刻情報とは別に通信先端末番号およびその現地時刻の表示領域を有する表示画面と、前記交換主装置から所定の端末番号対応の時刻情報を受けた際にはこの受けた時刻情報とこれに対応する前記端末番号とを、前記表示画面に画面表示する制御手段を備える
ことを特徴とする通信端末への時刻設定表示システム。
【請求項５】
請求項４に記載の時刻設定表示システムにおいて、
前記交換主装置は、端末番号対応での実装の有無情報を更に有する前記端末情報テーブルと、通信端末を初期接続するために通信端末から所定の初期設定要求により呼び出された際には前記端末情報テーブルから実装無しの端末番号を選択してこの端末番号を呼び出しのあった前記通信端末へ割り当てて返送し、この端末番号を有する通信端末からタイムゾーン情報の入力を受けた際にはこのタイムゾーン情報をその端末番号に対応して登録すると共に、前記基準時計にタイムゾーン情報を適用した時刻情報を求めて前記通信端末に返送する前記主制御部とを備え、かつ、
前記通信端末は、初期接続で前記交換主装置へ所定の初期設定要求を送出し端末番号の返送を受けた際には受けた端末番号を自己の端末番号として記録保存すると共に画面表示し、自己通信端末の属するタイムゾーンの情報入力を受けた際にはこれを前記交換主装置へ送出してその通信端末の属するタイムゾーンでの時刻情報を受けて内部記録すると共に自己時刻情報として画面表示する制御手段を備える
ことを特徴とする通信端末への時刻設定表示システム。
【請求項６】
請求項４に記載の時刻設定表示システムにおいて、
前記交換主装置は、通信端末から呼接続要求を受けた際には、発呼元通信端末の端末番号により前記端末情報テーブルからタイムゾーン情報を読み取りこのタイムゾーン情報を前記基準時計に適用して時刻情報を求めこの時刻情報から少なくとも時刻を着呼先通信端末に送出する一方で、着呼先端末番号により前記端末情報テーブルからタイムゾーン情報を読み取りこのタイムゾーン情報を前記基準時計に適用して時刻情報を求めこの時刻情報から少なくとも時刻を発呼元通信端末に返送する前記主制御部を備え、かつ、
前記通信端末は、呼接続要求を前記交換主装置へ送って宛先端末番号に対応する時刻情報を受けた際には少なくとも相手先時刻を所定位置に画面表示する一方、着呼と共に相手先時刻情報を受けた際にも少なくとも相手先時刻を所定位置に画面表示する制御手段を備える
ことを特徴とする通信端末への時刻設定表示システム。
【請求項７】
請求項４から請求項６までの一つに記載の時刻設定表示システムにおいて、前記通信端末は、通信網を介して接続する遠隔通信端末であることを特徴とする通信端末への時刻設定表示システム。
【請求項８】
請求項７に記載の時刻設定表示システムにおいて、前記通信網は、公衆回線網、ローカル領域網、およびインターネットのうちの少なくとも一つであり、前記交換主装置がそれらと相互接続できることを特徴とする通信端末への時刻設定表示システム。
【請求項９】
請求項４から請求項８までの一つに記載の時刻設定表示システムにおいて、前記交換主装置は、企業内もしくは構内の電話交換機またはボタン電話主装置であり、通信端末が多機能電話機であるることを特徴とする通信端末への時刻設定表示システム。
【請求項１０】
請求項４に記載の時刻設定表示システムにおいて、前記交換主装置は、所定の条件で発呼元通信端末を接続した際には前記主制御部から宛先端末番号のタイムゾーンに対応する時刻情報を受け受付時刻として記録し、発呼元通信端末から受けるメッセージをを記録保存する一方、メール呼出し要求を受けた際に記録保存されたメッセージと共に上記受付時刻を送出するメール装置と、このメール装置に通信端末を接続した際には、着呼先通信端末の端末番号により前記端末情報テーブルからタイムゾーン情報を読み取りこのタイムゾーン情報を前記基準時計に適用して時刻情報を求めこの時刻情報から受付時刻を前記メール装置に送出して記録させる前記主制御部とを備えることを特徴とする通信端末への時刻設定表示システム。
【請求項１１】
請求項１０に記載の時刻設定表示システムにおいて、前記交換主装置は電話主装置、通信端末は電話機、かつメール装置は音声メール装置であり、音声メール装置に記録する受付時刻は音声変換されて保存され、電話機からのメッセージは音声記録され、着呼先電話機からのメール呼出し要求を受けた際には、電話機からの音声メッセージに続いて上記受付時刻を音声通知することを特徴とする通信端末への時刻設定表示システム。
【請求項１２】
請求項４から請求項１１までの一つに記載の時刻設定表示システムにおいて、前記タイムゾーン情報は、タイムゾーンごとに付与された符号番号、公衆電話網の市外局番、米国のジップ番号のような郵便番号、若しくはこれらの番号から変換された番号符号、または基準ゾーンとの時間差値、およびサマータイム情報を含むことを特徴とする通信端末への時刻設定表示システム。
【発明の詳細な説明】
【技術分野】
【０００１】
本発明は、構内交換装置、ボタン電話装置などの交換主装置に接続される通信端末への時刻設定および時刻確認が容易な通信端末への時刻設定および時刻表示システムに関するものである。
【背景技術】
【０００２】
従来の通信端末への時刻設定および時刻表示システムは、表示画面を有する多機能通信端末で、所有者が標準時計または時報に合わせて所定の手順により日時および時刻を入力し、表示画面に表示させていた。しかし、このようなシステムでは所有者の手間がかかるのみならず、人手による誤った時刻設定も避けられない。
【０００３】
正確な時刻設定には、例えば、特許文献１に開示されるように、システム内に時刻を提供するセンターを設け、各内線端末から所定の手順によりセンターを呼び出して自動的に正確な日付・時刻を各内線端末内部に取り込んで画面表示する技術がある。特に、特許文献１では、米国のように複数のタイムゾーンそれぞれで時刻が設定されており、更にサマータイムが採用されている地域が混在する場合でも、自動的に内線端末の時計を正確な時刻に設定している。
【０００４】
この方式について、図９および図１０を併せ参照して説明する。
【０００５】
図示されるように、複数の通信端末１０１は電話通信網１０２を介して通信装置１０３と接続できる。通信装置１０３は通信端末１０１からの要求で時刻提供センター１０４から時刻を取り出して要求元の通信端末１０１へ通知している。時刻提供センター１０４は、基準の時刻を有する時計１１１、タイムゾーンテーブル１１２、およびサマータイムテーブル１１３を備えている。通信端末１０１の端末番号対応にその設置場所のタイムゾーンはタイムゾーンテーブル１１２に予め格納され、またサマータイムの適用／不適用はサマータイムテーブル１１３でその切替え期日に自動的に切替え設定される。
【０００６】
その最初の手順は、通信端末１０１が予め定められた時刻要求を発呼することにより、時刻要求が通信端末１０１から電話通信網１０２に送付（手順Ｓ１０１）される。時刻要求には発呼元端末番号と宛先アドレスとが含まれている。電話通信網１０２は、受けた時刻要求から宛先となる通信装置１０３のアドレスを検出できるので、発呼元の通信端末１０１からの通信線を宛先の通信装置１０３に接続して、通信装置１０３へ時刻要求を送出する。通信装置１０３は、受けた時刻要求から発呼元番号を検出できるので、発呼元番号の送出（手順Ｓ１０２）により時刻提供センター１０４に時刻要求する。時刻提供センター１０４は、受けた発呼元番号に基づいてタイムゾーンテーブル１１２およびサマータイムテーブル１１３を検索して時計１１１から現在時刻を演算し、発呼元の通信端末１０１における現在時刻を決定（手順S１０３）して通信端末１０１へ送出（手順S１０４）する。通信端末１０１は、受けた現在時刻により内蔵する時計の時刻を更新（手順S１０５）する。
【０００７】
この通信端末への時刻設定および時刻表示システムは、交換装置である通信装置を介して時刻提供センターから正確な時刻を通信端末にアップロードするので、通信端末からの要求により正確な時刻を自動的に通信端末に設定するには実用上十分であった。
【０００８】
しかし、構内電話交換機またはボタン電話装置などの設備工事を行う際のように、収容する多数の内線通信端末の時刻設定がユーザのための初期設定作業として必要な場合、通信端末単体での時刻設定が自動であっても、特に内線番号の設定前では、その工数は多大であるので、この工数の低減が望まれている。また、通信装置の交換主装置がタイムゾーンの異なる内線通信端末を収容しており、かつ一つの内線通信端末が他のタイムゾーンにある内線通信端末と交信する際にユーザが時刻を確認したい場合、特に電話機により対話する場合、また、例えば伝言サービスでのメッセージに対応する場合などで、伝えたい時刻を自分側か相手側かを容易に把握できないという欠点があった。
【０００９】
【特許文献１】特開２００２−５１１５１号公報
【発明の開示】
【発明が解決しようとする課題】
【００１０】
解決しようとする課題は、交換主装置設置工事における各通信端末の時刻設定工数の低減が更に求められていることであり、更に、別の課題は、自己の通信端末の時刻は正確に自動設定できるが、タイムゾーンの異なる相手先と通信する際に、通知し合う時刻が容易に把握できないことである。
【課題を解決するための手段】
【００１１】
本発明は、交換主装置設置工事における各通信端末の時刻設定工数の低減とタイムゾーンの異なる相手先と通信する際に通知し合う時刻の自動的な把握とのため、交換主装置に、正確な日付および時刻を時刻情報として有する基準時計と端末番号対応における通信端末の実装の有無情報およびタイムゾーン情報を有する通信端末情報テーブルとシステムを制御する主制御部とを備え、主制御部が通信端末から端末番号を指定して初期設定要求または呼接続要求を受けた際には前記通信端末情報テーブルから指定端末番号によりタイムゾーン情報を読み取って正確な時刻情報を求め、少なくとも時刻を別に指定された通信端末に送出して送出先通信端末に画面表示させることを主要な特徴とする。
【００１２】
このような構成により、交換主装置の主制御部は、通信端末を初期接続するために通信端末から所定の初期設定要求により呼出された際には空きの端末番号を選択して返送し、この端末番号を有する通信端末からタイムゾーン情報の入力を受けた際にはこのタイムゾーン情報をその端末番号に対応して登録すると共に、前記基準時計にタイムゾーン情報を適用した時刻情報を求めて前記通信端末に返送し、通信端末にその通信端末の属するタイムゾーンでの時刻情報を内部記録させると共に自己時刻情報として画面表示させることを特徴としている。従って、初期設定の通信端末番号の設定手順で自動的に時刻設定されるので、作業工数の低減に効果がある。
【００１３】
また、交換主装置の主制御部は、通信端末から呼接続要求を受けた際には前記端末情報テーブルから着呼先端末番号によりタイムゾーン情報を読み取り発呼元通信端末に送出する一方、前記端末情報テーブルから発呼元端末番号によりタイムゾーン情報を読み取って時刻情報を求め、着呼先通信端末に少なくとも時刻を送出して発呼元および着呼先の両者に通話相手先の時刻を画面表示させることを特徴としている。この結果、特に電話による対話では通話相手先の時刻を判断しつつ対話ができるので、通知する時刻を容易に把握することができるという効果がある。
【００１４】
また、被呼者が不在などでメール装置を利用する際も、宛先通信端末のタイムゾーンに基づく受付け時刻をメールに添付することにより、被呼者がメールを受け取る際に、自己のタイムゾーンにより受付時刻を知ることができる。
【００１５】
上述する通信端末は、通信網を介して接続する遠隔通信端末であるが、交換主装置と同一タイムゾーンに設置される場合にも有効である。また、通信網は、公衆回線網、ローカル領域網、およびインターネットのうちの少なくとも一つであり、前記交換主装置がそれらと相互接続できる。
【００１６】
また、前記交換主装置が企業内もしくは構内の電話交換装置またはボタン電話装置などにおける交換主装置であり、端末情報テーブルに登録される通信端末が上記交換主装置の内線通信端末および内線電話機を対象にした多機能電話機である場合、本発明が特に効果的である。
【発明の効果】
【００１７】
本発明の通信端末への時刻設定表示システムは、基準時計と端末番号に対応する実装の有無、タイムゾーンなどの情報とを有し、発呼元端末番号および着呼先端末番号それぞれに必要なタイムゾーンを対応させた日付および時刻を交換主装置で生成するため、通信端末の初期設定の際に端末番号と時刻とを自動的に内部に記録でき、また通話の際には相手の時刻の通知を受けることができるので、交換主装置設置工事における各通信端末の時刻設定工数が軽減できると共にタイムゾーンの異なる相手先と通信する際に通知し合う時刻を容易に把握することができるという利点がある。
【発明を実施するための最良の形態】
【００１８】
交換主装置の設置工事における各通信端末の時刻設定工数が低減できると共にタイムゾーンの異なる相手先と通信する際に通知し合う時刻の容易な把握ができるという目的を、基準時計と端末番号に対応する実装の有無、タイムゾーンなどの情報を有する通信端末情報テーブルとを有し、発呼元端末番号および着呼先端末番号それぞれに必要なタイムゾーンを対応させた日付および時刻を交換主装置で生成することにより実現した。
【実施例１】
【００１９】
本発明の実施例1について図１を参照して説明する。
【００２０】
図１は、本発明のシステムにおけるブロック構成の実施の一形態を示す図であって、交換主装置１、通信端末２、遠隔通信端末３および通信網４により構成されている。各構成要素で必須の要素でも、本発明に関係ない要素には紙面の都合で図示が省略されているものがある。
【００２１】
交換主装置１は、例えば企業内または構内の交換システムで備えられる交換装置であり、端末インタフェース１１、外線インタフェース１２、通信路スイッチ１３、端末情報テーブル１４、基準時計１５、主制御部１６、およびメール装置１７を備えている。
【００２２】
通信端末２は、交換主装置１に内線として直接接続され、少なくとも時刻情報および通話相手端末番号を表示する画面を有する。遠隔通信端末３は、交換主装置１の外線に通信網４を介して接続されるが、交換主装置１に接続された後は、内線同様に制御される通信端末で、少なくとも時刻情報および通信相手先端末番号を表示する画面を有する。ここで時刻情報とは、少なくとも日付および時刻が含まれる。なお、遠隔通信端末３については、図２を参照して後に詳細を説明する。通信網４は、例えば通常の公衆電話網であり、ＩＳＤＮ（統合サービスデジタル網）であり、有線のみならず無線網、更にはインターネットを含めることもできる。また、これら回線を用いて企業内交換システムの専用線により構成することもできる。
【００２３】
端末インタフェース１１は、通信端末２を直接収容して通話路スイッチ１３に接続し、主制御部１６と情報を交換する。外線インタフェース１２は、一方で外線を介して通信網４から遠隔通信端末３に、他方で通信路スイッチ１３にそれぞれ接続し、主制御部１６と情報を交換する。通信路スイッチ１３は主制御部１６の制御を受け、端末インタフェース１１および外線インタフェース１２を介して接続する内線および外線を相互接続して通信端末２および遠隔通信端末３それぞれの通信路を形成する。通信路スイッチ１３は、メール装置１７を更に接続しており、主制御部１６の制御を受け、通信端末との通信路を形成する。
【００２４】
端末情報テーブル１４には、交換主装置１に収容される通信端末２および遠隔通信端末３の端末番号に対応する例えば通信端末クラスなどの各種情報が格納される。端末情報テーブル１４の詳細は、図３を参照して後に説明する。基準時計１５は、交換主装置１のタイムゾーンにおける日付および時刻を、例えばＧＰＳ（Ｇｌｏｂａｌ  Ｐｏｓｉｔｉｏｎｉｎｇ  Ｓｙｓｔｅｍ）または地域標準時刻を示す時計電波により取得している。主制御部１６は、交換主装置１の動作機能を制御するものであり、詳細は後にタイムチャートを参照して説明する。
【００２５】
メール装置１７は、主制御部１６の制御を受け、不在宛先に着呼の際に発呼元通信端末に接続されて発呼者のメッセージと共に、接続され受付けした時刻情報を記録する一方、不在から戻った着呼先通信端末に接続された際には記録されたメッセージを送出する。
【００２６】
次に、図２を参照して遠隔通信端末３について詳細を説明する。図２は遠隔通信端末３における機能ブロックの実施の一形態を示す図であるが、通信端末２も同様な機能ブロックおよび同一機能を有しているものとする。
【００２７】
遠隔通信端末３は、端末情報記憶部２１、相手情報記憶部２２、通信部２３、ボタン入力部２４、画面表示部２５、時計部２６、および制御部２７を有する。端末情報記憶部２１は自己遠隔通信端末３の通信端末情報を記憶するメモリ領域でありタイムゾーンデータを含む。相手情報記憶部２２は、通信路の接続先通信端末情報を接続の都度記憶するメモリ領域であり、相手通信端末タイムゾーンデータのための領域を含む。通信部２３は、制御部２７の制御を受け、発呼または着呼の際に通信路を介して交換主装置と接続する。
【００２８】
ボタン入力部２４は入力用のキー・ボタンを有する。画面表示部２５は、ボタン入力を確認のため文字または記号で表示し、スイッチオンの状態では、通常、その遠隔通信端末３のタイムゾーンにおける時刻情報を文字により画面表示している。時計部２６は例えば１秒刻みのクロックを発生し、端末情報記憶部２１のタイムゾーンデータと相手情報記憶部２２の相手タイムゾーンデータとのそれぞれの時刻を、制御部２７の制御により歩進させる。制御部２７は遠隔通信端末３の動作機能を制御するもので、詳細は後にタイムチャートを参照して説明する。
【００２９】
図３は図１に示される端末情報テーブル１４における詳細の一形態を示す図である。図１に示されているものは実際に装備されているか否かを示す実装有無と通信端末２および遠隔通信端末３それぞれが交換主装置１との時差を示すタイムゾーンとである。図３に示されるタイムゾーンには、タイムゾーンを示す符号、交換主装置１におけるタイムゾーンとの時差、およびサマータイムの採用時期が含まれている。図示されたタイムゾーンを示す符号はタイムゾーン対応に予め付与された「２７」までの二桁の番号である。また、この符号は、例えば米国のジップコード番号または郵便番号、または公衆電話番号のうち地域を示す市外局番号から市内局番号までの番号でもよい。また、上記二桁の番号への変換テーブルを備えて後者の番号を変換することとしてもよい。
【００３０】
次に、図４に図１を併せ参照して遠隔通信端末３の交換主装置１への収容工事の際に実行される時刻設定表示手順について説明する。遠隔通信端末３は接続される通信網４に置ける宛先アドレスが端末番号として既に付与されているものとする。また、遠隔通信端末３を初期設定する際の呼出しアドレスが初期設定アドレスとして交換主装置１のダイヤルインとなる内線番号に予め決められているものとする。また、通信回線上で本発明により転送される初期設定要求などのデータは交換主装置１を制御するシステムで、例えばヘッダーの予め設定された位置に挿入されるものとする。
【００３１】
遠隔通信端末３は通信網４に対して交換主装置１の端末番号アドレスと共にダイヤルインの内線番号に上記初期設定アドレスを挿入した呼接続要求により初期設定要求を送出（手順Ｓ１）する。この結果、遠隔通信端末３の通信路は通信網４を介して交換主装置１の外線インタフェース１２に接続される。
【００３２】
主制御部１６は、受けた呼からダイヤルインされた内線番号に初期設定アドレスを検出するので、この呼が電話情報の設定を要求する初期設定要求の受付けと判断して、通信端末情報テーブル１４の実装有無領域から未実装の端末番号を選択（手順Ｓ２）し、発呼元の遠隔通信端末３へ通知（手順Ｓ３）する。
【００３３】
遠隔通信端末３は、受けた端末番号を交換主装置１の内線番号として所定の記憶領域に格納（手順Ｓ４）する。次いで、遠隔通信端末３は、予め与えられたタイムゾーン符号の入力を受けるので、受けたタイムゾーン符号を接続されている交換主装置１へ送出（手順Ｓ５）する。端末情報テーブルのタイムゾーン情報として遠隔通信端末３が接続する通信網で与えられた宛先アドレスをタイムゾーン符号に変換するテーブルが備えられる場合には、上記手順Ｓ５を省略することができる。
【００３４】
主制御部１６は、受けたタイムゾーン符号を通信端末情報テーブル１４の該当端末番号に対応する領域に格納すると共に、基準時計１５から得た時刻情報に交換主装置１のタイムゾーンとの時差を加味した現地時刻情報を演算（手順Ｓ６）して接続先の遠隔通信端末３へ送出（手順Ｓ７）する。
【００３５】
遠隔通信端末３は、受けた時刻情報を所定の領域に格納し、この時刻情報に基づく現地時刻を画面に文字表示（手順Ｓ８）する。以降、遠隔通信端末３は内蔵する時計により時刻を、例えば分刻みで常時画面表示することができる。
【００３６】
上記手順Ｓ４から手順Ｓ８までの手順は、内線の通信端末２でも同様に実行可能であり、通信端末２の初期設定の際にも適用できる。また、通信端末２における上記手順Ｓ１から手順Ｓ３までに対応する初期設定に際して、通信端末２は、交換主装置１の端末インタフェース１１へ、内線番号として上記初期設定アドレスを挿入した初期設定要求の呼接続要求を送出する。主制御部１６は、受けた呼から内線番号に初期設定アドレスを検出するので、この呼が電話情報の設定を要求する初期設定要求の受付けと判断して端末情報テーブル１４の実装有無領域から未実装の端末番号を選択し、発呼元の多機能通信端末２へ通知する。
【００３７】
上述したように、交換主装置における内線アドレスに初期設定要求のアドレスを設定することにより、遠隔地に内線通信端末が設置される場合でも、初期設定手順として内線の端末番号とタイムゾーン情報とを交換主装置に自動的に設定し更にその内線通信端末にも現地時間を自動的に設定することができる。従って、異なるタイムゾーンに設置される内線通信端末に正確な時刻を自動的に設定できるので、設置工事終了後に引き渡されたユーザは、タイムゾーン相違の有無に拘わらず、各通信端末の時刻設定が不要であり、直ちに使用できるという効果がある。
【実施例２】
【００３８】
本発明の実施例２について、図５に図１を併せ参照して説明する。
【００３９】
実施例２は内線通信端末同志における接続動作の際の時刻設定表示についてであり、図５は遠隔通信端末３と交換主装置１とにおける動作手順の一形態を示した図である。
【００４０】
遠隔通信端末３は通信網４に対して交換主装置１の端末番号アドレスと共に宛先の内線番号をダイヤルイン番号として呼接続要求を送出（手順Ｓ１１）する。この結果、遠隔通信端末３の通信路は通信網４を介して交換主装置１の外線インタフェース１２に接続される。
【００４１】
主制御部１６は、受けた呼からダイヤルインの内線番号を宛先アドレスとして検出するので、受付けた回線の通信路を宛先アドレスの例えば通信端末２の通信路に、通信路スイッチ１３を制御して相互接続する。呼接続要求には発呼元端末番号の発信者アドレスおよび着呼先端末番号の宛先アドレスを含んでいる。従って、主制御部１６は、受けた呼接続要求から発呼者および被呼者それぞれの端末番号を検出（手順Ｓ１２）するので、これら端末番号により端末情報テーブル１４からそれぞれのタイムゾーン符号に対応する時差を読み取る。
【００４２】
次いで、主制御部１６は、読み取った時差に基づいて基準時計１５から得る時刻情報をそれぞれの現地時刻情報に演算（手順Ｓ１３）し、被呼者の通信端末２の時刻情報を発呼者の遠隔通信端末３へ通知（手順Ｓ１４）する。従って、遠隔通信端末３は受けた時刻情報を所定の領域に格納する一方、通話先の宛先端末番号と共に画面に文字表示（手順Ｓ１５）する。この時刻は自己のタイムゾーンでの時刻と共に時を刻んで更新される。
【００４３】
一方、発呼者の遠隔通信端末３の時刻情報は被呼者の通信端末２へ通知されるので、着呼を受けた通信端末２でも、通信相手先の遠隔通信端末３の現地時刻を画面表示することができる。
【００４４】
図６はその結果として画面表示された時刻情報の一形態を示した図である。
【００４５】
図６に図３を併せ参照すれば、端末番号「１０００」の通信端末が端末番号「１００２」を宛先にして８時に発呼した場合、上記手順により、宛先タイムゾーンの時差「＋２」から現地時間「１０時」を得るので、端末番号「１０００」の通信端末では、相手先端末番号「１００２」とその現地時間「１０：００」とが画面表示される。一方、被呼者の通信端末では、発呼元端末番号「１０００」とその現地時間「０８：００」とが通知されるので、これらを図示されるような所定位置に画面表示することができる。
【００４６】
上述したように、交換主装置が端末番号対応にタイムゾーン情報を備えているので、呼接続要求を受けた際に、発呼者通信端末および被呼者通信端末両者それぞれの現地時刻を正確に演算して通知できるので、対話の際に相手の時刻を配慮することができる。また、相手のみならず、自己の現在時刻の通知を受けることができるので、自己通信端末の現在時刻を呼接続の都度、自動的に更新することができるという効果も得ることができる。
【実施例３】
【００４７】
本発明の実施例３について図７に図１および図３を併せ参照して説明する。
【００４８】
実施例３はメール装置１７を利用した際の時刻設定表示についてであり、図７は遠隔通信端末３と交換主装置１のメール装置１７とにおける動作手順の一形態を示した図である。図示されていないが、端末情報テーブル１４には端末番号「１０００」に通話中または不在登録されている間での着信はメール装置１７に接続してメッセージを受けるという情報が記録されているものとする。
【００４９】
また、ここでは、端末番号「１００２」の遠隔通信端末３が「１０時」に被呼者を端末番号「１０００」により発呼して呼接続要求したものとする。この発呼時刻「１０時」は端末情報テーブル１４により「＋２時間」の時差がある一方、端末番号「１０００」のタイムゾーンでは「時差ゼロ」のため、この発呼時刻は「８時」である。
【００５０】
上述したように、遠隔通信端末３の発呼により、交換主装置１は外線インタフェース１２から宛先アドレスとして端末番号「１０００」を受けて主制御部１６へ転送（手順Ｓ２１）する。主制御部１６は、呼接続要求を受付けして被呼者の端末番号から不在を検出（手順Ｓ２２）した際には、端末情報テーブル１４から被呼者の端末番号「１０００」対応のタイムゾーンを検索し、「時差ゼロ」から基準時計１５の「８時」が演算により取得（手順Ｓ２３）される。
【００５１】
一方、主制御部１６は、通信路スイッチ１３を制御して発呼者の遠隔通信端末３からの通信路をメール装置１７に接続してメッセージの受付け準備完了を通知（手順Ｓ２４）させると共に、取得した被呼者の端末番号「１０００」の受信時刻「８時」を通知して保存（手順Ｓ２５）させる。
【００５２】
交換主装置１ではメール装置１７が、メールの受付け準備完了を受けた遠隔通信端末３からメールの転送（手順Ｓ２６）を受け、メッセージを保存（手順Ｓ２７）する。メッセージの保存が完了したのち、発呼者からの切断信号が届いた際にこのメッセージの最後にメッセージの受付け時刻が記録保存される。
【００５３】
したがって、被呼者がメール装置１７を呼出してメッセージを聴取する際には、タイムゾーンの異なる内線からのメッセージでも自己ゾーンに対する現地時刻が聴取できるので、受信順序の崩れ、時刻の勘違いなどを避けることができる。
【実施例４】
【００５４】
本発明の実施例４について図８を参照して説明する。実施例４はリアルタイムの通信である電話を対象にしている。
【００５５】
図８は、本発明のシステムにおけるブロック構成の実施の一形態を示す図であって、図１において、交換主装置１が電話主装置１Ａ、通信端末２が多機能電話機２Ａ、遠隔通信端末３が遠隔電話機３Ａ、および通信網４が電話通信網４Ａに名称変更されている。
【００５６】
従って、電話主装置１Ａは、例えば企業内または構内の電話交換システムまたはボタン電話装置で備えられる交換装置であり、電話機インタフェース１１Ａ、外線インタフェース１２Ａ、通信路スイッチ１３Ａ、音声メール装置１７Ａ、電話機情報テーブル１４Ａ、基準時計１５Ａ、および主制御部１６Ａを備えているものとする。
【００５７】
多機能電話機２Ａは、電話主装置１Ａに内線として直接接続される、例えばボタン電話機であり、少なくとも時刻情報および通話相手端末番号を表示する画面を有する。遠隔電話機３は、電話主装置１の外線に電話通信網４を介して接続されるが、電話主装置１に内線として同様に制御される多機能電話機で、少なくとも時刻情報および通話相手端末番号を表示する画面を有する。
【００５８】
これら各要素は基本的に上記実施例で名称を言い替えたものであり、その通信手段が電話に置き換えられたものである。従って、上記説明がそのまま適用できる。
【００５９】
従って、遠隔電話機３Ａについては図２が参照できるので、その詳細説明波省略する。電話通信網４Ａは、例えば通常の公衆電話網であり、ＩＳＤＮ（統合サービスデジタル網）であり、勿論、公衆電話網を介してインターネットを含めることもできる。また、これら回線を用いて企業内交換システムの専用線を構成することもできる。
【００６０】
端末インタフェース１１Ａから端末情報テーブル１４Ａまでは、図１の対応部分と同一の構成要素であり、同様の機能を有しているのでその説明を省略する。
【００６１】
端末情報テーブル１４Ａについては図３が参照できる。図８では、図３の端末番号領域として内線番号領域が表示されている。
【００６２】
主制御部１６Ａの動作手順については、図４から図６までを併せ参照して説明したと同一なので、その説明を省略する。
【００６３】
音声メール装置１７Ａは、主制御部１６の制御を受け、不在宛先に着呼の際に発呼通信端末に接続されて発呼者音声と共に、接続された時刻情報を記録する一方、不在から戻った宛先通信端末に接続されて記録された音声を送出する。
【実施例５】
【００６４】
本発明の実施例５について図７および図８を併せ参照して説明する。
【００６５】
図７では、交換主装置１を電話主装置１Ａ、遠隔通信端末３を遠隔電話機３Ａ、メール装置１７を音声メール装置１７Ａ、かつ、端末番号を内線番号、それぞれに読み替える。
【００６６】
上述したと同様に、遠隔電話機３Ａの発呼により、電話主装置１Ａは外線インタフェース１２から宛先アドレスとして内線番号「１０００」を受けて主制御部１６へ転送（手順Ｓ２１）する。主制御部１６Ａは、呼接続要求を受付けして被呼者の内線番号から不在を検出（手順Ｓ２２）した際には、端末情報テーブル１４Ａから被呼者の内線番号「１０００」対応のタイムゾーンを検索し、「時差ゼロ」から基準時計１５Ａの「８時」が演算により取得（手順Ｓ２３）される。
【００６７】
一方、主制御部１６Ａは、通話路スイッチ１３Ａを制御して発呼者の遠隔電話機３Ａからの通話路を音声メール装置１７Ａに接続して音声メッセージの受付け準備完了を音声案内（手順Ｓ２４）させると共に、取得した被呼者番号「１０００」の受信時刻「８時」を通知して音声変換のうえ保存（手順Ｓ２５）させる。
【００６８】
電話主装置１Ａでは音声メール装置１７Ａが、録音メッセージの受付け準備完了を受けた遠隔電話機３Ａから音声メッセージの転送（手順Ｓ２６）を受け、保存（手順Ｓ２７）する。メッセージの録音が終了したのち、発呼者から切断信号が届いた際にこのメッセージの最後にメッセージの受付け時刻が音声により記録保存される。
【００６９】
したがって、被呼者が音声メール装置１７Ａを呼出してメッセージを聴取する際には、タイムゾーンの異なる内線からのメッセージでも自己ゾーンに対する現地時刻が聴取できるので、受信順序の崩れ、時刻の勘違いなどを避けることができる。
【その他の実施例】
【００７０】
図面を参照して説明した遠隔通信端末は、通信網を介して接続する通信端末で電話機も含むものであるが、上述したように、交換主装置と同一タイムゾーンに設置される場合にも有効である。また、遠隔通信端末を接続する通信網は、公衆回線網、ローカル領域網、およびインターネットのうちの少なくとも一つであり、前記交換主装置がそれらと相互接続できるものである。
【００７１】
また、前記交換主装置が企業内もしくは構内の電話交換装置またはボタン電話装置などにおける電話主装置であり、端末情報テーブルに登録される通信端末が上記交換主装置の内線通信端末および内線電話機を対象にした多機能電話機である場合、本発明が特に効果的である。
【００７２】
しかし、交換主装置と電話機を含む通信端末とが本発明による機能を有する場合には、公衆電話網における交換機および通信端末であっても本発明を適用可能である。
【００７３】
上述したが、タイムゾーン情報の設定には、予め定められた番号符号を、地域ごとに固定されて付与されている郵便番号または電話番号から変換することができる。
【００７４】
また、上記通信端末はコンピュータ端末であってもよく、この場合、上述の端末番号は、端末それぞれに付与されたアドレス符号となる。
【産業上の利用可能性】
【００７５】
本発明により、交換主装置に通信端末のアドレスである端末番号に対応の実装有無およびタイムゾーン情報を記録保存する記憶領域を設けているので、通信端末から所定の初期設定要求を用いて容易に正確な時刻の初期設定ができ、更に、呼接続要求により通信相手の時刻を得てそれぞれ画面表示できる。従って、通信端末に自動的に正確な時刻情報が、および通信相手の時刻情報が不可欠な用途に適用できる。更に、アラームなどの正確な時刻通知をタイムゾーンおよびサマータイムを加味して設定するなどに応用できる。
【図面の簡単な説明】
【００７６】
【図１】本発明による通信端末への時刻設定および時刻表示システムにおける機能ブロックの実施の一形態を示した説明図である。（実施例１）
【図２】図１の遠隔通信端末における機能ブロックの実施の一形態を示した説明図である。（実施例１）
【図３】図１の端末情報テーブルにおける情報内容の実施の一形態を示した説明図である。（実施例１）
【図４】図１において初期設定要求手順の実施の一形態を示したシーケンスチャートである。（実施例１）
【図５】図１において呼設定要求手順の実施の一形態を示したシーケンスチャートである。（実施例２）
【図６】図５の手順が終了し接続設定した際の両通信端末での時刻表示画面の一形態を示した説明図である。（実施例２）
【図７】図１において通信端末がメール装置に接続する際の手順の実施の一形態を示したシーケンスチャートである。（実施例３）
【図８】本発明による電話機への時刻設定および時刻表示システムにおける機能ブロックの実施の一形態を示した説明図である。（実施例４、実施例５）
【図９】従来の通信端末への時刻設定および時刻表示システムにおける機能ブロックの一例を示した説明図である。
【図１０】図９において通信端末の自動的な時刻設定手順の一例を示したシーケンスチャートである。
【符号の説明】
【００７７】
１    交換主装置
１Ａ    電話主装置
２    通信端末
２Ａ    多機能電話機
３    遠隔通信端末
３Ａ    遠隔電話機
４    通信網
４Ａ    電話通信網
１１    端末インタフェース
１１Ａ    電話機インタフェース
１２、１２Ａ    外線インタフェース
１３    通信路スイッチ
１３Ａ    通話路スイッチ
１４    端末情報テーブル
１４Ａ    電話機情報テーブル
１５、１５Ａ    基準時計
１６、１６Ａ    主制御部
１７    メール装置
１７Ａ    音声メール装置
【図１】
2005244398.tif 000003
【図２】
2005244398.tif 000004
【図３】
2005244398.tif 000005
【図４】
2005244398.tif 000006
【図５】
2005244398.tif 000007
【図６】
2005244398.tif 000008
【図７】
2005244398.tif 000009
【図８】
2005244398.tif 000010
【図９】
2005244398.tif 000011
【図１０】
2005244398.tif 000012